(57)【要約】【課題】  現状の遊技場において、大当たりした時に出玉及びメダルを箱に入れお客の足元や周りに積み上げる事で、この遊技場は、良く出しているか、どの遊技機が良く出ているかなど、お客が遊技場や遊技機を選ぶ際の情報を出しているその結果、通路が狭くなり、遊技環境や従業員の労働環境の悪化、万一の地震などの災害発生時には、最悪の事態が予想される。また経営的にも労働環境の悪い中で、迅速なサービス提供のため多目の従業員を雇っている。【解決手段】遊技機個々の大当たり回数や、出玉及びメダル数などの状況が、遠くからでも一目瞭然にわかるように遊戯機個々の椅子の背もたれ後部分や支柱部分に遊技機状況表示ランプを設置する事で大当たり時、出玉及びメダルを箱に入れ積み上げる事が無くなり、それにより通路が狭くならずにすみ問題を解決する。【選択図】図２
2010081949.tif 000002
【特許請求の範囲】
【請求項１】
パチンコやパチスロなどの遊技機個々の大当たり中、大当たり回数、確率変動中、出玉数などの状況や離席中、食事中、おすすめ台などの台情報を遊技機個々の椅子の背後面部分や支柱部分に取り付け表示する事を特長とする椅子取り付け遊技機状況表示ランプ
【請求項２】
上記、椅子取り付け遊技機状況表示ランプは、椅子本体と分離したセパレート型と、あらかじめ椅子本体に組み込まれた椅子一体型が、あることを特長とする請求項１記載の椅子取り付け遊技機状況表示ランプ
【請求項３】
上記、椅子取り付け遊技機状況表示ランプは、活用するスペースにより、椅子背後面部分型、椅子支柱部分型、両部分型が、ある事を特長とする請求項１記載の椅子取り付け遊技機状況表示ランプ
【請求項４】
上記、椅子取り付け遊技機状況表示ランプは、表示したい遊技機個々の状況の種類や数などにより、ランプの数や、ランプの点滅や点灯の仕方を自由に設定できる事を特長とする請求項１記載の椅子取り付け遊技機状況表示ランプ
【発明の詳細な説明】
【技術分野】
【０００１】  本発明は、遊技場の遊技環境改善、従業員の労働環境改善、災害時の安全確保、経費削減を図った椅子取り付け遊技機状況表示ランプに関する。
【発明の開示】
【発明が解決しようとする課題】
【０００２】  現状の遊技場において、遊技機が大当たりした時、出玉を箱に入れ、お客の足元や周りに積み上げたり、遊技機個々に付いている小さな呼び出しランプで表示する事で、この遊技場は、玉を良く出しているか、どの台が良く出ているかなど、お客の遊技場や遊技機選びに必要な情報を出している。【０００３】  その結果、遊技場内の通路が狭くなり、遊技環境、従業員の労働環境の悪化、万が一、地震などの災害発生時には、最悪な状況が予想される。【０００４】  また、経営的にも、現状の中で、より迅速なサービス提供をするために従業員を多めに、雇用している状況です。
【課題を解決するための手段】
【０００５】  本発明本体は、お客が座る椅子の背後面や支柱部分に取り付けられ、配線で、遊技機や呼び出しランプ、遊技機個々の大当たり回数、出玉数などを管理するコンピューターなどと接続されている。【０００６】  本体は、電源を取り入れたり、接続された機器からの大当たり中などの信号を入力し、ランプを点滅、点灯させる信号を出力する基盤部分と、信号をもとに光る複数のランプ部分からなる。【０００７】  大当たり１回だとランプが１個点灯、２回だと２個点灯、また事前に設定された出玉数に応じて１個点灯、今大当たりしている時は、全てのランプが点滅をしているなどのランプ表示で、遊技機個々の状況が遠くからでもわかる。
【発明の効果】
【０００８】  本発明を設置する事により、現状のように大当たり時、箱を足元に積み上げる事無く遠くからでも遊技機個々の状況がわかるので、通路が狭くなる問題点が解決され、遊技環境や従業員の労働環境が改善され、万が一の災害時対策にもなり、また余分に従業員を雇う必要もなくなり経費削減効果にもなる。
【発明の実施するための最良の形態】
【０００９】  以下、本発明の実施の形態を図１〜図３に基づいて説明する。
【００１０】  図において１は、椅子と本発明が分離しているセパレート型を設置する際に必要になるクッション材の部分で、２は、配線で接続された遊技機や呼び出しランプ、遊技機管理コンピューターから、大当たりなどの表示させたい遊技機状況の信号を入力、それにともないランプの光り方を設定した信号を出力させる基板部分で、３は、その配線で、４は、複数あるランプの光を効率よくレンズに反射させたり隣のランプの光を遮断するための反射板、５は基板と接続された発光体の電球やＬＥＤランプ、６は、ランプのレンズ部分で、本発明は、構成されている。
【００１１】  以下、上記構成の動作を説明する。本発明に表示させたい遊技機状況の信号が、遊技機や呼び出しランプ、遊技機管理コンピューターと接続された配線３を通して基板２で入出力される事で、前もって設定された通りに複数ある発光体５の電球やＬＥＤランプを点滅点灯させる事で６のランプのレンズ部分が光り、遊技機個々の状況を表示させる。
【図面の簡単な説明】
【００１２】
【図１】本発明の実施形態を示す、椅子背後面部分型の椅子取り付け遊技機状況表示ランプの断面図
【図２】同椅子取り付け遊技機状況表示ランプの椅子背後面部分型、椅子支柱部分型、両部分型の実施形態を示す側面図
【符号の説明】
【００１３】  １  本体取り付けようクッション材
２  基板部分
３  配線
４  反射板
５  発光体  電球・ＬＥＤランプ
６  レンズ
【図１】
2010081949.tif 000003
【図２】
2010081949.tif 000004
【手続補正書】
【提出日】平成20年7月8日(2008.7.8)
【手続補正１】
【補正対象書類名】特許請求の範囲
【補正対象項目名】全文
【補正方法】変更
【補正の内容】
【特許請求の範囲】
【請求項１】
パチンコやパチスロなどの遊技機個々の大当たり中、大当たり回数、確立変動中、出玉及びメダル数などの状況や離席中、食事中、おすすめ台などの台情報を遊技機個々の椅子の背もたれ後部分や支柱部分に取り付け表示する事を特長とする椅子取り付け遊技機状況表示ランプ
【請求項２】
上記、椅子取り付け遊技機状況表示ランプは、椅子本体と分離したセパレート型と、あらかじめ椅子本体に組み込まれた椅子一体型が、あることを特長とする請求項１記載の椅子取り付け遊技機状況表示ランプ
【請求項３】
上記、椅子取り付け遊技機状況表示ランプは、活用するスペースにより、椅子背もたれ後部分型、椅子支柱部分型、両部分型が、ある事を特長とする請求項１記載の椅下取り付け遊技機状況表示ランプ
【請求項４】
上記、椅子取り付け遊技機状況表示ランプは、表示したい遊技機個々の状況の種類や数などにより、ランプの数や、ランプの点滅や点灯の仕方を自由に設定できる事を特長とする請求項１記載の椅子取り付け遊技機状況表示ランプ
【請求項５】
上記、椅子取り付け遊技機状況表示ランプは、表示したい遊技機個々の状況を有線及び赤外線などの無線による通信手段で接続された、遊技機本体や、既設の呼び出しランプ、遊技機個々の大当たり回数や出玉及びメダル数などを管理するコンピューターなどの機器から受信する事及びリモコン操作による表示が可能な事を特長とする請求項１記載の椅子取り付け遊技機状況表示ランプ
【手続補正２】
【補正対象書類名】明細書
【補正対象項目名】全文
【補正方法】変更
【補正の内容】
【発明の詳細な説明】
【技術分野】
【０００１】  本発明は、遊技場の遊技環境改善、従業員の労働環境改善、災害時の安全確保、経費削減を図った椅子取り付け遊技機状況表示ランプに関する。
【発明の開示】
【発明が解決しようとする課題】
【０００２】  現状の遊技場において、遊技機が大当たりした時、出玉及びメダルを箱に入れ、お客の足元や周りに積み上げたり、遊技機個々に付いている小さな呼び出しランプで表示する事で、この遊技場は玉を良く出しているか、どの台が良く出ているかなど、お客の遊技場や遊技機選びに必要な情報を出している。【０００３】  その結果、遊技場内の通路が狭くなり、遊技環境、従業員の労働環境の悪化、万が一の災害時には、最悪な状況が予想される。【０００４】  また、経営的にも、現状の中で、より迅速なサービスを提供するため従業員を多めに雇用している状況です。
【課題を解決するための手段】
【０００５】  本発明本体は、お客が座る椅子の背もたれ後部分や支柱部分に取り付けられ、有線及び赤外線などの無線による通信手段で、遊技機や、既設の呼び出しランプ、遊技機個々の大当たり回数、出玉及びメダル数を管理するコンピューター及びリモコンなどと接続されている。【０００６】  本体は、電源を取り入れたり、接続された機器からの大当たり中などの信号を入力しランプを点滅、点灯させる信号を出力する基板部分と、信号をもとに光る複数のランプ部分からなる。【０００７】  大当たり回数１回だとランプが１ヶ所点灯、２回だと２ヶ所点灯、また事前に設定された出玉及びメダル数に応じて１ヶ所点灯、今大当たりしている時は、全てのランプが点滅しているなどのランプの表示で、遊技機個々の状況が遠くからでもわかる。
【発明の効果】
【０００８】  本発明を設置する事により、現状のように大当たり時、箱を足元に積み上げる事無く遠くからでも遊技機個々の状況がわかるので、通路が狭くなる問題点が解決され、遊技環境や従業員の労働環境が改善され、万が一の災害時対策にもなり、また余分に従業員を雇う必要もなくなり経費削減効果にもなる。
【発明の実施するための最良の形態】
【０００９】  以下、本発明の実施の形態を図１〜図２に基づいて説明する。
【００１０】  図において１は、椅子と本発明が分離しているセパレート型を設置する際に必要になるクッション材の部分で、２は、有線及び赤外線などの無線による通信手段で接続された遊技機や既設の呼び出しランプ、遊技機管理コンピューターから、大当たりなどの表示させたい遊技機状況の信号及びリモコン信号を入力、それのともないランプの光り方を設定した信号を出力させる基板部分で、３は、その有線及び無線受信部で、４は、複数あるランプの光を効率よくレンズに反射させたり隣のランプの光を遮断するための反射板、５は、基板と接続された発光体の電球やＬＥＤランプ、６は、ランプのレンズ部分で、本発明は、構成されている。
【００１１】  以下、上記構成の動作を説明する。本発明に表示させたい遊技機状況の信号が、遊技機や既設の呼び出しランプ、遊技機管理コンピューター及びリモコンと接続された有線及び赤外線などの無線による通信手段３を通して基板２で入出力される事で、前もって設定された通りに複数ある発光体５の電球やＬＥＤランプを点滅、点灯させる事で６のランプのレンズが光り、遊技機個々の状況を表示させる。
【図面の簡単な説明】
【００１２】
【図１】本発明の実施形態を示す、椅子背もたれ後部分型の椅子取り付け遊技機状況表示ランプの断面図
【図２】同椅子取り付け遊技機状況表示ランプの椅子背もたれ後部分型、椅子支柱部分型、両部分型の実施形態を示す側面図
【符号の説明】
【００１３】１  本体取り付け用クッション材
２  基板部分
３  有線及び赤外線などの無線の受信部分
４  反射板
５  発光体  電球・ＬＥＤランプ
６  レンズ